(57)【要約】      （修正有）【課題】放射線汚染水より放射線物質を容易に除去できる方法、及びその設備を提供する。【解決手段】放射線汚染水１を流入管２から混合手段５へ流入し、ゼオライト混入土壌３を接続手段４から混合手段へ投入し、混合手段により放射線汚染水とゼオライト混入土壌を混合する事により放射線汚染水中の放射線をゼオライト混入土壌へ吸着吸収させる。次いで、放射線汚染水とゼオライト混入土壌の混合物を選別手段８へ送り、選別手段で放射線汚染洗浄水と放射線を吸着吸収したゼオライト混入土壌に２分する。【選択図】図１
2015001390.tif 000002
【特許請求の範囲】
【請求項１】
放射線汚染水を流入管から混合手段へ流入し、ゼオライト混入土壌を接続手段から前記混合手段へ投入し、前記混合手段により前記放射線汚染水と前記ゼオライト混入土壌を混合する事により放射線汚染水中の放射線を前記ゼオライト混入土壌へ吸着吸収させ前記放射線汚染水と前記ゼオライト混入土壌の混合物を選別手段へ送り、前記選別手段で放射線汚染洗浄水と放射線を吸着吸収したゼオライト混入土壌に２分する放射線汚染水処理方法。
【請求項２】
放射線汚染水を流入管から混合手段へ流入し、ゼオライト混入土壌を接続手段から前記混合手段へ投入し前記混合手段により前記放射線汚染水と前記ゼオライト混入土壌を混合する事により放射線汚染水中の放射線を前記ゼオライト混入土壌へ吸着吸収させ、前記放射線汚染水と前記ゼオライト混入土壌の混合物を選別手段へ送り、前記選別手段で放射線汚染洗浄水と放射線等を吸着吸収したゼオライト混入土壌に２分する第１工程と、前記２分した放射線汚染洗浄水を放射線汚染洗浄水溜液槽へ流入し、前記放射線汚染洗浄水溜液槽へゼオライトと凝集剤を投入し、前記放射線汚染洗浄水溜液槽で放射線汚染洗浄水、ゼオライト及び凝集剤を混合し、前記混合された混合物を脱水手段で洗浄化水と汚泥に２分する第２工程と、前記第１工程の前記選別手段で２分した前記放射線等を吸着吸収したゼオライト混入土壌を混合手段へ送り前記第２工程の前記脱水手段で２分した前記汚泥を前記混合手段へ投入しセメント及び多機能固化薬剤溶水液を前記混合手段へ投入し、前記放射線等を吸着吸収したゼオライト混入土壌、前記汚泥、セメント及び多機能固化薬剤溶水液を混合し、混合した混合物を容器へ投入して廃材を成型する第３工程とからなる放射線汚染水処理方法。
【請求項３】
放射性汚染水を流入管から回転式混合機へ流入し、ゼオライト混入土壌を接続手段から前記回転式混合機へ投入し前記回転混合機により前記放射線汚染水と前記ゼオライト混入土壌を混合する事により放射線汚染水中の放射線を前記ゼオライト混入土壌へ吸着吸収させ前記放射線汚染水と前記ゼオライト混入土壌の混合物を選別機へ送り、前記選別機で放射線汚染洗浄水と放射線を吸着吸収したゼオライト混入土壌に2分する放射線汚染水処理装置。
【請求項４】
放射線汚染水を流入管から回転式混合機へ流入し、ゼオライト混入土壌を接続手段から前記回転式混合機へ投入し前記回転式混合機により前記放射線汚染水と前記ゼオライト混入土壌を混合する事により放射線汚染水中の放射線を前記ゼオライト混入土壌へ吸着吸収させ前記放射線汚染水と前記ゼオライト混入土壌の混合物を選別手段へ送り前記選別機で放射線汚染洗浄水と放射線等を吸着吸収したゼオライト混入土壌に２分する第１工程と、前記２分した放射線汚染洗浄水を放射線汚染洗浄水溜液槽へ流入し前記放射線汚染洗浄水溜液槽へゼオライトと凝集剤を投入し前記放射線汚染洗浄水溜液槽で放射線汚染洗浄水、ゼオライト及び凝集剤を混合し前記混合された混合物を脱水機で洗浄化水と汚泥に２分する第２工程と前記第１工程の前記選別機で２分した前記放射線等を吸着吸収したゼオライト混入土壌を混合機へ送り前記第２工程の前記脱水機で２分した前記汚泥を前記混合機へ投入し、セメント及び多機能固化薬剤溶水液を前記混合機へ投入し放射線等を吸着吸収した前記ゼオライト混入土壌、前記汚泥、セメント及び多機能固化薬剤溶水液を混合し、混合した混合物を容器へ投入して廃材を成型する第３工程とからなる放射線汚染水処理装置。
【発明の詳細な説明】
【技術分野】
【０００１】
本発明は原子力発電所等で発生する放射線汚染水処理に関する放射線汚染水処理方法及び放射線汚染水処理装置に関するものである。
【背景技術】
【０００２】
従来の放射線汚染水処理システムによれば、粘土、ゼオライトの粉、水をコンクリートミキサーに混合したものを型に流し込んで成型された粘土板を通過して放射線汚染水より放射線を取除く処理システムであった。
【先行技術文献】
【特許文献】
【０００３】
特開２０１３−２９３１号公報
【発明の概要】
【発明が解決しようとする課題】
【０００４】
本発明は、原子力発電所の場所で震災発生による原子力発電所、地方自治体等で発生、排出される放射線汚染水の処理問題を解決する事にある。
【０００５】
従来は放射線汚染水を粘土板を通過して放射線汚染水より放射線物質を取除く構成であり粘土板製作する費用及び設備等の費用及び設備場所が必要であり、又粘土板の破損など考えられ、そして放射線汚染水より放射線物質を吸着、吸収した粘土板処理するための粘土板保管場所も考えていくという課題も有していた。
【課題を解決するための手段】
【０００６】
課題を解決する為に本発明は、放射線汚染水を流入管から混合手段へ流しゼオライト混入土壌を接続手段から混合機へ投入し混合手段により放射線汚染水とゼオライト混入土壌を混合する事により、放射線汚染水中の放射線をゼオライト混入土壌へ吸着、吸収させ放射線汚染水とゼオライト混入土壌の混合物を選別手段へ送り、選別手段で放射線洗浄水と放射線を吸着、吸収したゼオライト混入土壌に２分し、放射線汚染水処理を可能としたものである。
又、本願発明は、放射線汚染水を流入管から混合手段へ流しゼオライト混入土壌を接続手段から混合手段へ投入し混合手段より放射線汚染水とゼオライト混入土壌を混合する事により、放射線汚染水中の放射線をゼオライト混入土壌へ吸着、吸収させ放射線汚染水とゼオライト混入土壌の混合物を選別手段へ送り選別手段で放射線汚染水と放射線等を吸着、吸収したゼオライト混入土壌に２分する第１工程と、２分した放射線汚染洗浄水を放射線汚染洗浄水溜液槽へ流入し、放射線汚染洗浄水溜液槽へゼオライトと凝集剤を投入し放射線汚染洗浄水溜液槽で放射線汚染洗浄水、ゼオライト及び凝集剤を混合した物を、脱水手段で洗浄化水と汚泥に２分する第２工程と、第１工程の選別手段で２分した放射線等を吸着吸収したゼオライト混入土壌を混合手段へ送り前記第２工程の前記脱水手段で２分した汚泥を混合手段へ投入し、セメント及び多機能固化薬剤溶水液を混合手段へ投入し放射線等を吸着吸収したゼオライト混入土壌、汚泥、セメント及び多機能固化薬剤溶水液を混合し、混合したものを容器へ投入して廃材を成形する第３工程からなり放射線汚染水処理を可能としたものである。
又、本願発明は、放射線汚染水を流入管から回転式混合機へ流入しゼオライト混入土壌を接続手段から回転式混合機へ投入し回転式混合機により放射線汚染水とゼオライト混入土壌を混合する事により、放射線汚染水中の放射線をゼオライト混入土壌へ吸着、吸収させ、放射線汚染水とゼオライト混入土壌の混合物を選別機へ送り選別機で放射線汚染洗浄水と放射線を吸着、吸収したゼオライト混入土壌に２分する放射線汚染水処理装置を実現するものである。
又、本願発明は、放射線汚染水を流入管から回転式混合機へ流入し、ゼオライト混入土壌を接続手段から回転式混合機へ投入し回転式混合機により放射線汚染水とゼオライト混入土壌を混合する事により、放射線汚染水中の放射線をゼオライト混入土壌へ吸着、吸収させ放射線汚染水とゼオライト混入土壌の混合物を選別機へ送り選別機で放射線汚染水と放射線等を吸着、吸収したゼオライト混入土壌に２分する第１工程と、２分した放射線洗浄水を放射線汚染洗浄水溜液槽へ流し放射線洗浄水溜液槽へゼオライトと凝集剤を投入し、放射線汚染洗浄水溜液槽で放射線洗浄水、ゼオライト及び凝集剤を混合し、混合した混合物を脱水機で洗浄化水と汚泥と２分する第２工程と、第１工程の選別機で２分し放射線等を吸着吸収したゼオライト混入土壌を混合機へ送り第２工程の脱水機で２分した汚泥を混合機へ投入し、セメント及び多機能固化薬剤溶水液を混合機へ投入し放射線等を吸着吸収したゼオライト混入土壌、汚泥、セメント及び多機能固化薬剤溶水液を混合し、混合した混合物を容器へ投入して、廃材を成形する第３工程とからなり放射線汚染水処理装置を実現するものである。
【発明の効果】
【０００７】
本願発明によれば、放射線汚染水処理対象である原子力発電所で発生する放射線汚染水をゼオライト混入土壌で、放射線汚染水より放射線を吸着吸収する事が出来るのである。又吸着吸収した後の放射線汚染水を再度ゼオライト等を混入して放射線汚染水より放射線を効果的に除去できる放射線除去方法及び放射線除去装置を提供する事が出来るものである。
【図面の簡単な説明】
【０００８】
【図１】放射線汚染水とゼオライト混入土壌の混合機及び選別機
【図２】放射線汚染水処理装置のシステム図
【発明を実施するための形態】
【０００９】
以下図面に基づいて本発明の実施例を説明する
【００１０】
図１に示す混合手段である回転式混合機５は、内面に羽根６付でこの羽根６は流入管２より送られてくる放射線汚染水１と接続手段４より送られてくるゼオライト混入土壌３を回転式混合機５内で混合対流時間を多くし放射線汚染水１とゼオライト混入土壌３を効率良く混合し放射線汚染水１より、ゼオライト混入土壌３へ放射線を効率良く吸着、吸収する働きをする為の形状羽根６である。又ゼオライト混入土壌３の固まりが有れば放射線汚染水１との混合時にゼオライト混入土壌３を細かく破砕し放射線汚染水１との混合を良くし、放射線汚染水１より放射線をゼオライト混入土壌３へ吸着吸収の働きが良くなる。
【００１１】
ゼオライト混入土壌３において土壌へのゼオライト混入量は土壌体積の１０〜３０％とする事が放射線汚染水１とゼオライト混入土壌３が回転式混合機５で混合し放射線汚染水１より放射線を吸着、吸収の働きが効果的である。
【００１２】
放射線汚染水１を流入管２を通して回転式混合機５へ投入し、同時にゼオライト混入土壌３が接続手段４を通して、回転式混合機5へ送られて放射線汚染水１とゼオライト混入土壌３と混合し放射線汚染水１よりゼオライト混入土壌３へ放射線を吸着吸収する。
【００１３】
回転式混合機５で混合した混合物は選別手段である選別機８へ接続手段７を通して送る。
ここで流入管２、接続手段４、回転式混合機５、接続手段７および選別機８で、第１工程を構成する
【００１４】
接続手段７から送られてきた混合物は選別機８で放射線汚染洗浄水１０１と放射線等を吸着吸収したゼオライト混入土壌１０２とに２分する。
【００１５】
２分した放射線汚染洗浄水１０１は接続手段９を通して第２工程の放射線汚染洗浄水溜液槽１０へ送る。
【００１６】
放射線汚染洗浄水１０１の入った放射線汚染洗浄水溜液槽１０へゼオライト１１を放射線汚染洗浄水量の１０〜２０％を投入し又、凝集剤１２を放射線汚染洗浄水量の０．５〜５％を投入し放射線汚染洗浄水１０１より再度放射線を取除く為、ゼオライト１１及び凝集剤１２を投入する。又凝集剤１２により脱水手段である脱水機１４で放射線汚染洗浄水１０１を洗浄化水１０３と汚泥１０４に２分しやすい為に凝集剤１２を投入する。       
【００１７】
放射線汚染洗浄水溜液槽１０で放射線汚染洗浄水１０１とゼオライト１１及び凝集剤１２の混合物１０５は脱水機１４へ送られる。
【００１８】
接続手段１３で送られてきた混合物１０５を脱水機１４で洗浄化水１０３と汚泥１０４に２分する。
【００１９】
脱水機１４で２分した洗浄化水１０３は接続手段１５を通して洗浄化水槽１６へ送る。
【００２０】
洗浄化水槽１６へ送られてきた洗浄化水１０３は再利用するか、海等へ廃棄処理する。
【００２１】
第１工程の選別機８で２分した放射線等吸着吸収したゼオライト混入土壌１０２を第３工程の混合手段である混合機１９へ接続手段１７を通じて送る。又、第２工程の脱水機１４で２分した汚泥１０４も接続手段１８を通じて第３工程の混合機１９へ送り混合する。
【００２２】
混合機１９で混合した第１工程よりの放射線等吸着吸収したゼオライト混入土壌１０２と第２工程よりの汚泥１０４とが混合された物へセメント２０と多機能固化薬剤溶水液２１を投入し混合する。
【００２３】
多機能固化薬剤溶水液２１の働きはゼオライト混入土壌１０２とセメント２０を固化する働きを助けると共に、ゼオライト混入土壌１０２とセメント２０と多機能固化薬剤溶水液２１の混合した混合物から固化後セレン、六価クロム等の溶出を少なくする働きがある。
【００２４】
混合機１９で混合した混合物１０６は接続手段２２で容器２３へ投入し養生する。
【００２５】
容器２３内で養生し容器２３より取り出した廃材２４は、土石廃材等の使用場所にて使用する、又小さく破砕して他の土石廃材に混合して使用する事も出来る。ここで、混合機１９、セメント２０、多機能固化薬剤溶水液２１、容器２３及び廃材２４で第３工程を構成する
【００２６】
放射線汚染水１より放射線を取除く吸着吸収材料であるゼオライト混入土壌３の代わりに震災地発生場所等で発生する土石廃材の内、１０ｍｍ以下で且つ、木くず、金属片等を取除いた土石廃材へゼオライトを混入したゼオライト混入土壌を用いても良い。
【００２７】
第３工程の混合機１９へ第１工程よりの放射線等吸着、吸収したゼオライト混入土壌１０２と第２工程よりの汚泥１０４との混合物の放射線量が安全性量より放射線量が多いと考えられている時は、混合機１９で第１工程よりの放射線等吸着吸収したゼオライト混入土壌１０２と第２工程よりの汚泥１０４の混合物に別の土壌等(図に示せず)を加え、混合する事により、加えた土壌（図に示せず）に拡散し放射線量の安全性を高めた後セメント、多機能固化薬剤溶水液を混合し廃材を作り処理する事も可能である。
【００２８】
尚、図において二点鎖線は第1工程、第２工程、第３工程を示す線である
【符号の説明】
【００２９】
１・・・放射線汚染水
２・・・流入管
３・・・ゼオライト混入土壌
４・・・接続手段
５・・・回転式混合機（混合手段）
６・・・羽根
７・・・接続手段
８・・・選別機（選別手段）
９・・・接続手段
１０・・・放射線汚染洗浄水溜液槽
１１・・・ゼオライト
１２・・・凝集剤
１３・・・接続手段
１４・・・脱水機（脱水手段）
１５・・・接続手段
１６・・・洗浄化水槽
１７・・・接続手段
１８・・・接続手段
１９・・・混合機（混合手段）
２０・・・セメント
２１・・・多機能固化薬剤溶水液
２２・・・接続手段
２３・・・容器
２４・・・廃材
１０１・・・放射線汚染洗浄水
１０２・・・ゼオライト混入土壌
１０３・・・洗浄化水
１０４・・・汚泥
１０５・・・混合物
１０６・・・混合物
【図１】
2015001390.tif 000003
【図２】
2015001390.tif 000004